(57)【特許請求の範囲】
【請求項１】
ライセンスを取得することにより、所定の期間の満了時、または前記所定の期間内の機能の累積使用量が規定の上限値への到達する時のうちいずれか早い時まで使用可能な前記機能を有する第一の画像形成装置と、
前記第一の画像形成装置と通信可能に接続された、前記ライセンスを管理するライセンス管理サーバーと、を備えたライセンス管理システムであって、
前記第一の画像形成装置は、前記機能を使用する要求を受け付ける受け付け部と、
前記受け付け部により前記要求が受け付けられた旨の通知を前記ライセンス管理サーバーに送信する通知部と、を備え、
前記ライセンス管理サーバーは
前記通知部からの前記通知を受信する受信部と、
前記受信部により前記通知が受信されると、前記第一の画像形成装置における前記機能の累積使用量が前記規定の上限値に到達する時を予測する予測部と、
前記予測部が予測した、前記規定の上限値に到達する時を報知する報知部と、
を備える、ライセンス管理システム。
【請求項２】
前記ライセンス管理サーバーは、さらに前記第一の画像形成装置における、前記所定の期間内の前記機能の使用状況を記憶する記憶部を備え、
前記予測部は、前記記憶部に記憶された前記使用状況から、前記第一の画像形成装置における前記機能の累積使用量が前記規定の上限値に到達する時を予測する、請求項１に記載のライセンス管理システム。
【請求項３】
前記予測部は、前記機能の累積使用量が前記規定の上限値に到達する時を回帰分析によって予測する、請求項１または２に記載のライセンス管理システム。
【請求項４】
前記第一の画像形成装置は、さらに、前記機能を使用した後、前記ライセンス管理サーバーに、前記機能の使用量のデータを送信する使用量データ送信部を備え、
前記ライセンス管理サーバーは、さらに
前記使用量データ送信部から、前記機能の使用量のデータを受信する使用量データ受信部と、
前記使用量データ受信部が前記使用量のデータを受信した後、前記記憶部に記憶された前記累積使用量を更新する更新部と、
を備える、請求項２に記載のライセンス管理システム。
【請求項５】
前記ライセンス管理システムは、さらに、前記ライセンス管理サーバーと通信可能に接続され、前記第一の画像形成装置が有する前記機能と同一の機能を有する第二の画像形成装置を含み、
前記報知部は、前記第二の画像形成装置における前記機能の累積使用量が、前記第一の画像形成装置における前記機能の累積使用量よりも少ない場合、さらに前記第二の画像形成装置における前記機能の使用状況を報知する、請求項１〜４のいずれか１項に記載のライセンス管理システム。
【請求項６】
さらに、前記第一の画像形成装置および前記ライセンス管理サーバーと通信可能に接続された端末を備える、請求項１〜５のいずれか１項に記載のライセンス管理システム。
【請求項７】
前記報知部は、前記端末に報知を行う、請求項６に記載のライセンス管理システム。
【発明の詳細な説明】
【技術分野】
【０００１】
この発明は、ライセンス管理システムに関する。
【背景技術】
【０００２】
近年、複合機等に代表される画像形成装置においては、複合機本来の機能を拡張する拡張機能（アプリケーション）を導入することにより、ユーザーのニーズに対応し、作業の効率化が図られている。そのような拡張機能の中には、有償で提供されるライセンスを取得することにより、所定の期間、所定の上限値を超えない範囲での利用を許可するものがある。こうした拡張機能は、所定の期間経過後、または累積使用量が所定の上限値に達した後、さらに使用を継続するために、再度料金を支払ってライセンスを更新する必要がある。
【０００３】
ライセンスの有効期間内であるにもかかわらず、拡張機能の累積使用量が所定の上限値に達すると、ライセンスが更新されない限りその拡張機能を利用することができず、業務に支障が生じるおそれがある。そのような事態を防ぐために、自動的にライセンスを更新する技術が特許文献１に開示されている。これに対し、料金が未払いの状態で自動的にライセンスが更新されるのを防ぐための技術が特許文献２に開示されている。
【先行技術文献】
【特許文献】
【０００４】
【特許文献１】特開２００６−２３５９６３号公報
【特許文献２】特開２０１４−０７８２７０号公報
【発明の概要】
【発明が解決しようとする課題】
【０００５】
特許文献１においては、ライセンスの自動更新は、画像形成装置とライセンス管理装置間で行っている。しかしながら、ライセンス管理装置はソフトウェアの利用料金の回収情報を保持していないため、利用料金が未払いの場合でもライセンスが更新されてしまう。また、ユーザーによるソフトウェアの無駄な使用を抑制することができず、有効期限を迎える前にソフトウェアの使用量の上限値に達するのを事前に防止できない。
【０００６】
特許文献２では、特許文献１における、利用料金が未払いの場合でもライセンスが更新されてしまう、という課題を解決することを目的としている。しかし、利用料金の支払いが間に合わず、突然その拡張機能が使用できなくなると、業務に支障が出るおそれがある。
【０００７】
この発明の目的は、ライセンスの有効期間満了を迎える前に、不意に特定の機能の利用が停止される事態をできる限り防止するライセンス管理システムを提供することにある。
【課題を解決するための手段】
【０００８】
この発明の一の局面においては、ライセンス管理システムは、ライセンスを取得することにより、所定の期間の満了時、またはその所定の期間内の機能の累積使用量が規定の上限値への到達する時のうちいずれか早い時まで使用可能な機能を有する第一の画像形成装置と、第一の画像形成装置と通信可能に接続された、上記ライセンスを管理するためのライセンス管理サーバーとを備える。第一の画像形成装置は、受け付け部と、通知部とを備える。受け付け部は、上記機能を使用する要求を受け付ける。通知部は、受け付け部が上記要求を受け付けた旨の通知をライセンス管理サーバーに送信する。ライセンス管理サーバーは、受信部と、予測部と、報知部とを備える。受信部は、第一の画像形成装置の通知部からの上記通知を受信する。予測部は、受信部により上記通知が受信されると、第一の画像形成装置における上記機能の累積使用量が規定の上限値に到達する時を予測する。報知部は、予測部が予測した、上記規定の上限値に到達する時（予測上限到達時）を報知する。
【発明の効果】
【０００９】
このようなライセンス管理システムにおいては、ライセンスにより累積使用量が制限された機能を備えた画像形成装置と、そのライセンスを管理するためのライセンス管理サーバーとを有する。ライセンス管理サーバーは、画像形成装置におけるその機能の累積使用量が規定の上限値に到達する時を予測する予測部と、予測部が予測した予測上限到達時を報知する報知部を有している。これらの機能により、ユーザーに対して上記機能を使用する際にその使用状況を知らせることができ、上記機能の不要な利用を控えるよう促すことができる。また特定の画像形成装置において上記機能を使用する頻度が高い場合に、他の画像形成装置での上記機能の使用を促し、画像形成装置間で累積使用量の平均化を図ることができる。その結果、上記機能が利用できる期間を少しでも長くすることにより、不意にその機能が利用停止され、業務の支障が生じる事態を少なくすることができる。
【図面の簡単な説明】
【００１０】
【図１】この発明の一実施形態に係るライセンス管理システムの全体図である。である。
【図２】この発明の一実施形態に係るライセンス管理システムの構成を示すブロック図である。
【図３】複合機の制御部の構成を示すブロック図である。
【図４】ライセンス管理サーバーの制御部の構成を示すブロック図である。
【図５】この発明の一実施形態に係るライセンス管理システムを用いて、カラー印刷を行う場合の処理の流れを示すフローチャートである。
【図６】経過日数６日目の時点で線形近似によって上限到達時を予測したグラフである。
【図７】コンピューターの表示画面の表示の一例を示す図である。
【発明を実施するための形態】
【００１１】
以下、この発明の実施の形態を説明する。図１は、この発明の一実施形態に係るライセンス管理システムの全体図である。図２は、この発明の一実施形態に係るライセンス管理システムの構成を示すブロック図である。
【００１２】
図１および図２を参照して、この発明の一実施形態に係るライセンス管理システム１は、第一の画像形成装置としての第一の複合機１１ａおよび第二の画像形成装置としての第二の複合機１１ｂと、ライセンス管理サーバー１９とが、ネットワーク５を介して通信可能に接続されている。さらに図１に示すように、コンピューター２６が、第一の複合機１１ａおよび第二の画像形成装置としての第二の複合機１１ｂと、ライセンス管理サーバー１９と通信可能に接続されていてもよい。
【００１３】
第一の複合機１１ａと第二の複合機１１ｂは、それぞれ、ライセンスを取得することにより、所定の期間の満了時、または上記所定の期間内の、画像形成時における機能の累積使用量が規定の上限値への到達する時のうちいずれか早い時まで使用可能な機能を有している。すなわち、累積使用量が規定の上限値に到達しなくても、所定の期間が経過し、その満了時を迎えた時にはライセンスを更新しない限りその機能が使用できなくなる。一方、所定の期間内であっても、累積使用量が規定の上限値に達した場合には、その機能の使用を継続するにはライセンスを更新する必要がある。
【００１４】
特に限定されないが、ライセンスを取得することにより、所定の期間の満了時、または上記所定の期間内の、画像形成時における機能の累積使用量が規定の上限値への到達する時のうちいずれか早い時まで使用可能な機能の例としては、一定期間内に上限枚数までのカラーでの印刷を可能にするカラー印刷機能、紙文書をスキャンすると自動的にファイル名を付けて指定のフォルダに保存する文書電子化機能、紙媒体を経ずにデジタルデータから直接ＦａｘするＦａｘ機能、スキャンした紙文章や受信したＦａｘ文書のデータを自動的に文字認識し、文字データ付きの電子データとして保存する文字認識機能などが挙げられる。
【００１５】
第一の画像形成装置としての第一の複合機１１ａは、複合機制御部１２と、操作部１３と、画像読み取り部１４と、画像形成部１５と、複合機記憶部１６と、ファクシミリ通信部１７と、ネットワーク５と接続するための複合機ネットワークインターフェース部１８とを備える。
【００１６】
制御部１２は、第一の複合機１１ａ全体の制御を行う。操作部１３は、第一の複合機１１ａ側から発信する情報やユーザーの入力内容を表示する表示画面２１を含む。操作部１３は、印刷部数や階調性等の画像形成の条件や電源のオンまたはオフを入力させる。画像読み取り部１４は、セットされた原稿を自動的に読み取り位置へ搬送する自動原稿搬送装置（ＡＤＦ（Ａｕｔｏ  Ｄｏｃｕｍｅｎｔ  Ｆｅｅｄｅｒ））２２を含む。画像読み取り部１４は、ＡＤＦ２２によって搬送された原稿の画像や載置台上に載置された原稿の画像を読み取る。画像形成部１５は、読み取った画像やネットワーク５を介して送信された画像データを基に画像を形成する。すなわち、画像形成部１５は、受け付けられた画像形成の要求に応じ、画像データを基に記録媒体上、例えば、用紙上に画像を形成する。記憶部１６は、送信された画像データや入力された画像形成条件等の格納を行う。ファクシミリ通信部１７は、公衆回線２４に接続されており、ファクシミリ送信やファクシミリ受信を行う。
【００１７】
なお、第一の複合機１１ａは、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や現像剤によって形成された可視化像を転写する用紙を搬送する用紙搬送部等を備えるが、これらについては、図示および説明を省略する。また、図２中の矢印は、制御信号や制御、画像に関するデータの流れを示している。
【００１８】
第一の複合機１１ａは、画像読み取り部１４により取得された画像データに基づき画像形成部１５において画像を形成し、用紙に印刷することにより、複写機として作動する。また、第一の複合機１１ａは、ネットワークインターフェース部１８を通じて、ネットワーク５上のライセンス管理サーバー１９、ならびに第二の画像形成装置としての第二の複合機１１ｂ、コンピューター２６と通信可能に接続されている。第一の複合機１１ａは、コンピューター２６から送信された画像データを用いて、画像形成部１５において画像を形成し、用紙に印刷することにより、プリンターとして作動する。また、第一の複合機１１ａは、ファクシミリ通信部１７を通じて、公衆回線２４から送信された画像データを用いて、ＤＲＡＭを介して画像形成部１５において画像を形成することにより、または画像読み取り部１４により取得された画像データを、ファクシミリ通信部１７を通じて公衆回線２４に画像データを送信することにより、ファクシミリ装置として作動する。すなわち、第一の複合機１１ａは、画像処理に関し、複写、プリンター、ファクシミリ等、複数の用途を有する。さらに、各用途について、詳細に設定が可能である。
【００１９】
ライセンス管理サーバー１９は、サーバーネットワークインターフェース部２９と、サーバー制御部３０と、サーバー記憶部２８とを備える。ライセンス管理サーバー１９は、サーバーネットワークインターフェース部２９を通じてネットワーク５上の第一の複合機１１ａおよび第二の複合機１１ｂ、ならびにコンピューター２６と通信可能に接続されている。制御部３０は、ライセンス管理サーバー１９全体の制御を行う。記憶部２８は、第一および第二の複合機１１ａ、１１ｂの各複合機におけるライセンスの情報および機能の使用状況を記憶する。
【００２０】
第一の複合機１１ａと、ライセンス管理サーバー１９、コンピューター２６、および第二の複合機１１ｂとは、ＬＡＮ（Ｌｏｃａｌ  Ａｒｅａ  Ｎｅｔｗｏｒｋ）ケーブル等を用いて有線で接続されていてもよいし、無線で接続されていてもよい。
【００２１】
次に、第一の複合機１１ａの制御部１２の構成について説明する。図３は、複合機制御部１２の構成を示すブロック図である。図３を参照して、第一の複合機１１ａの制御部１２は、受け付け部３１と、通知部３２と、報知受領部３３と、使用量データ送信部３４とを備える。受け付け部３１は、ユーザーから、上記機能を実行するための要求を受け付ける。通知部３２は受け付け部３１が上記機能の実行要求を受け付けた旨の通知をライセンス管理サーバー１９に送信する。報知受領部３３は、後述するライセンスサーバー１９の制御部３０から、累積使用量が上限に到達すると予測される時（予測上限到達時）に関する報知を受領する。使用量データ送信部３４は、第一の複合機１１ａで上記機能を使用したのち、その使用量に関するデータをライセンス管理サーバー１９に送信する。
【００２２】
次に、ライセンス管理サーバー１９の制御部３０の構成について説明する。図４は、制御部３０の構成を示すブロック図である。図４を参照して、ライセンス管理サーバー１９の制御部３０は、受信部４０と、予測部４１と、報知部４２と、使用量データ受信部４３と、更新部４４とを備える。予測部４１はさらに回帰分析部４５を備える。
【００２３】
受信部４０は、通知部３２より、受け付け部３１が上記機能を実行するための要求を受け付けた旨の通知を受信する。予測部４１は上記機能の累積使用量が、規定の上限値に到達する時（予測上限到達時）を予測する。予測には、回帰分析部４５による回帰分析を利用してもよい。報知部４２は、予測部が予測した予測上限到達時を、第一の複合機１１ａ、およびコンピューター２６などの端末がネットワーク５に接続されている場合にはそのコンピューター２６に報知する。使用量データ受信部４３は、第一の複合機１１ａで上記機能を使用した後、第一の複合機１１ａの使用量データ送信部３４から送信される使用量に関するデータを受信する。更新部４４は、使用量データ受信部４３が使用量のデータを受信した後、記憶部２８に記憶された上記機能の累積使用量を更新する。
【００２４】
次に、この発明の一実施形態に係るライセンス管理システム１が、第一の複合機１１ａにおいて上記機能を使用する場合のライセンス管理の流れについて説明する。
【００２５】
図５は、この発明の一実施形態に係るライセンス管理システムを用いて、カラー印刷を行う場合の処理の流れを示すフローチャートである。上記機能は、所定の期間内に、複合機１台あたり用紙１０００枚までのカラー印刷を可能にするカラー印刷機能であるとする。また本実施形態では、上記所定の期間（有効期間）は１０日とする。
【００２６】
図５を参照して、まず第一の複合機（ＭＦＰ（Ｍｕｌｔｉ  Ｆｕｎｃｔｉｏｎ  Ｐｅｒｉｐｈｅｒａｌ）１１ａの受け付け部３１は、ユーザーから、カラーでの画像形成の許可要求を受け付ける（ステップＳ１１。以下、「ステップ」を省略する）。通知部３２は、ライセンス管理サーバー１９に対し、上記要求があった旨を通知し（Ｓ１２）、受信部４０はその通知を受信する（Ｓ１３）。
【００２７】
予測部４１は、第一の複合機１１ａにおける、所定の期間内のカラー印刷機能の累積使用量が規定の上限値に到達する時を予測する。予測の方法は特に限定されない。一例としては、記憶部２８に、第一の複合機１１ａでのカラー印刷機能の使用状況（使用可能な所定の期間の開始時および満了時、所定の期間の開始時からの経過日数、累積使用量など）を記憶しておき、その使用状況から累積使用量が規定の上限値に到達する時を予測する（Ｓ１４）。予測には線形分析などの回帰分析を利用してもよい。回帰分析は、ライセンス管理サーバーの制御部３０の回帰分析部４５によって行われる。
【００２８】
一例として、回帰分析により規定の上限値に到達する時を予測する方法を説明する。この場合において、所定の期間の開始時から６日目までに、下記表１に示すような枚数のカラー印刷を行ったとする。
【００２９】
【表１】
0006439707.tif 000002
【００３０】
経過日数６日目の時点で線形近似によって上限到達時を予測したグラフを図６に示す。図６において、５１で示される縦軸は、累積使用量（枚）を、５２で示される横軸は、カラー印刷機能の使用開始可能時からの経過日数（日）を表す。５３で示される破線は、規定の使用量上限値（１０００枚）を表す。５４で示される折れ線は累積使用量を折れ線グラフで表したものである。５５で示される破線は線形近似によって上限到達時を予測したときの線形近似直線である。この場合、線形近似直線５５は、式：
ｙ＝１３１．６９ｘ−６７．０６７
（ｘは経過日数、ｙは累積使用量（枚））で表される。
【００３１】
上記式から、規定の使用量上限値（１０００枚）に到達する時（予測上限到達時）を予測すると、
ｘ＝（１０００＋６７．０６７）／１３１．６９＝８．１０（日）
となる（図６に予測上限到達時５６を示す）。このように、所定の期間の開始時から約８日を経過すると累積使用量が規定の上限値に到達することがわかる。カラー印刷機能は１０日間使用が可能であることから、このままでは所定の期間の満了を迎える前にその機能を利用したカラー印刷ができなくなることが予想される。
【００３２】
次に報知部４２は、第一の複合機１１ａにおける、使用量の予測上限到達時が８．１０日であることを第一の複合機１１ａの報知受領部３３に報知する。報知の際には、第二の複合機１１ｂにおけるカラー印刷機能の累積使用量と、第一の複合機１１ａにおけるそれとを比較する（Ｓ１５）。第二の複合機１１ｂにおけるカラー印刷機能の累積使用量と、第一の複合機１１ａにおけるそれとを比較して、第一の複合機１１ａにおけるカラー印刷機能の累積使用量の方が少ない場合、すなわち第一の複合機１１ａの方がカラー印刷機能の使用量に余裕がある場合、第一の複合機１１ａの使用量の予測上限到達時である８．１０日の情報が報知部４２から第一の複合機１１ａに報知される（Ｓ１６）。その情報は操作部１３の表示画面２１に表示される。その表示の一例を図７に示す。６１は報知メッセージである。この表示画面２１のこのメッセージ６１を見たユーザーは、続行キー６２を押下することによりそのまま第一の複合機１１ａでコピーを行うか、あるいは中止キー６３を押下することによりカラー印刷機能を使用したコピーを中止するかを選択することができる。事前に使用量の予測上限到達時を報知することにより、不意にカラー印刷機能の利用が停止される事態をできる限り防止することができる。また、予測上限到達時を報知すると共に、そのまま第一の複合機１１ａでのカラー印刷を続行するか、中止するかを問い合わせることにより、不必要なカラー印刷を控えるようユーザーに促すことができる。
【００３３】
これに対し、第二の複合機１１ｂにおけるカラー印刷機能の累積使用量の方が少ない場合には、第二の複合機１１ｂの方がカラー印刷機能の使用量に余裕があることを意味する。この場合、報知部４２は、第一の複合機１１ａにおける使用量上限到達予測時が８．１０日であるという情報に加えて、第二の複合機１１ｂにおけるカラー印刷機能の使用状況が報知される（Ｓ１７）。この際、あらかじめ予測部４１が第二の複合機１１ｂにおける使用量上限到達時を予測しておき、第一の複合機１１ａと、第二の複合機１１ｂの両方の使用量上限到達予測時を報知してもよい。この情報は、例えば第一の複合機１１ａが有する操作部１３の表示画面２１に表示される。表示画面２１のメッセージ６１を見たユーザーは、そのまま第一の複合機１１ａでカラー印刷を行うか、第一の複合機１１ａでのカラー印刷を中止するかを選択することができる。印刷を中止した後、ユーザーに対し、より使用量に余裕がある第二の複合機１１ｂでカラー印刷を行うよう促すこともできる。もしユーザーが第二の複合機１１ｂでコピーを行うことを選択した場合、第一の複合機１１ａと第二の複合機１１ｂの間でカラー印刷機能の使用量が均一化され、カラー印刷が可能な時間を延長することに貢献できる（Ｓ１８）。
【００３４】
第一の複合機１１ａにおいてカラー印刷した後、第一の複合機１１ａは、ライセンス管理サーバー１９に、カラー印刷機能の使用量データを送信する。第一の複合機１１ａの制御部１２は、さらに、ライセンス管理サーバー１９にカラー印刷機能の使用量データを送信する使用量データ送信部３４を備えていてもよい。使用量データ送信部３４は、ライセンス管理サーバー１９に対し、第一の複合機１１ａにおけるカラー印刷機能の使用量データを送信してもよい。
【００３５】
このとき、ライセンス管理サーバー１９の使用量データ受信部４３は、使用量データ送信部３４からの、カラー印刷機能の使用量に関するデータを受信する。使用量データ受信部４３がカラー印刷機能の使用量に関するデータを受信した後、そのデータに基づき更新部４４が、第一の複合機１１ａにおけるカラー印刷機能の累積使用量を更新する。更新された累積使用量はライセンス管理サーバー１９の記憶部２８に記憶される。
【００３６】
コンピューター２６などの端末から第一の複合機１１ａに対してカラーでの画像形成要求を行う場合、第一の複合機１１ａはプリンターとして利用される。この場合、報知部４２からの報知は、端末のコンピューター２６に対して行ってもよい。この場合、図７に示すようなメッセージ６１は、コンピューター２６の表示画面に表示される。
【００３７】
なお上述の例では、ライセンス管理サーバー１９の予測部４１が上記規定の上限値に到達する時を予測する際、記憶部２８に記憶した、第一の複合機１１ａでのカラー印刷機能の使用状況を利用する方法を例示したが、既に述べたとおり、予測の方法はこれに限定されない。したがって、ライセンス管理サーバー１９は記憶部２８を必ずしも有していなくてもよい。
【００３８】
また上述の例においては、ライセンス管理システム１が第二の複合機１１ｂを含む場合について説明したが、第二の複合機１１ｂはなくてもよい。第一の複合機１１ａに対し、ライセンス管理サーバー１９の報知部４２から使用量の予測上限到達時を報知することにより、発明の目的は達成することができる。
【００３９】
さらに、第一の複合機１１ａの使用量データ送信部、ライセンス管理サーバー１９の使用量データ受信部４３および更新部４４についても、これらを設けるか否かは任意であり、これらが無くても発明の目的は達成することができる。
【００４０】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４１】
この発明に係るライセンス管理システムは、ラインセンスを取得することにより、所定の期間または所定の使用量までは使用可能な特定の機能を有する画像形成装置において有効に利用される。
【符号の説明】
【００４２】
１  ライセンス管理システム、５  ネットワーク、１１ａ  第一の複合機、１１ｂ  第二の複合機、１２  複合機制御部、１３  操作部、１４  画像読み取り部、１５  画像形成部、１６  複合機記憶部、１７  ファクシミリ通信部、１８  複合機ネットワークインターフェース部、１９  ライセンス管理サーバー、２１  表示画面、２２  ＡＤＦ、２４  公衆回線、２６  コンピューター、２８  サーバー記憶部、２９  サーバーネットワークインターフェース部、３０  サーバー制御部、３１  受け付け部、３２  通知部、３３  報知受領部、３４  使用量データ送信部、４０  受信部、４１  予測部、４２  報知部、４３  使用量データ受信部、４４  更新部、４５  回帰分析部、５１  累積使用量（枚）、５２  経過日数（日）、５３  規定の使用量上限値、５４  累積使用量の折れ線グラフ、５５  線形近似直線、５６  予測上限到達時、６１  報知メッセージ、６２  続行キー、６３  中止キー
【図１】
0006439707.tif 000003
【図２】
0006439707.tif 000004
【図３】
0006439707.tif 000005
【図４】
0006439707.tif 000006
【図５】
0006439707.tif 000007
【図６】
0006439707.tif 000008
【図７】
0006439707.tif 000009